(57)【要約】【課題】画像の種類に関わらず、見やすい画像を表示する。【解決手段】周波数判定部８０ａは、ＳＤＲＡＭ５４に記憶された画像データに基づいて、表示画像の空間周波数を算出する。その後、周波数判定部８０ａは、この空間周波数が閾値ｆｔｈよりも大きいか否かを判定する。空間周波数が閾値ｆｔｈよりも大きいと判定された場合、システムコントローラ４０は、輝度調節回路６１を制御して、バックライト７１の輝度をＸ２に調節する。また、空間周波数が閾値ｆｔｈ以下であると判定された場合、輝度調節回路６１を制御して、バックライト７１の輝度をＸ１（＜Ｘ２）に調節する。【選択図】図４
2008139429.tif 000002
【特許請求の範囲】
【請求項１】
画像を表示する液晶パネルと、この液晶パネルを照明する照明手段とを備えた表示装置において、
前記照明手段の輝度を調節する輝度調節手段と、
前記液晶パネルに表示する前記画像の空間周波数を検出して、前記空間周波数が閾値よりも大きいか否かを判定する判定手段と、
前記判定手段によって前記空間周波数が前記閾値よりも大きいと判定された場合、前記閾値以下の場合よりも前記輝度が高くなるように前記輝度調節手段を制御する制御手段とを備えていることを特徴とする表示装置。
【請求項２】
画像を表示する液晶パネルと、この液晶パネルを照明する照明手段とを備えた表示装置において、
前記照明手段の輝度を調節する輝度調節手段と、
前記液晶パネルに表示する前記画像に含まれるアイコンサイズ及び文字数を検出して、前記アイコンサイズ及び前記文字数が各々の閾値よりも大きいか否かを判定するアイコンサイズ及び文字数判定手段と、
前記アイコンサイズ及び文字数判定手段によって、前記アイコンサイズが閾値以下であると判定された場合、前記閾値よりも大きい場合よりも前記輝度が高くなるように前記輝度調節手段を制御し、前記文字数が閾値よりも大きいと判定された場合、前記閾値以下の場合よりも前記輝度が上昇するように前記輝度調節手段を制御する制御手段とを備えていることを特徴とする表示装置。
【請求項３】
前記画像は、メニュー画像またはガイダンス画像であり、前記アイコンサイズ及び文字数判定手段は、前記メニュー画像またはガイダンス画像に含まれる前記アイコンサイズ及び前記文字数を検出することを特徴とする請求項２記載の表示装置。
【請求項４】
画像を表示する液晶パネルと、この液晶パネルを照明する照明手段とを備えた表示装置において、
前記照明手段の輝度を調節する輝度調節手段と、
前記液晶パネルに表示される前記画像の色情報に基づいて各色の色レベルを算出し、特定の色レベルが閾値よりも大きいか否かを判定する色レベル判定手段と、
前記色レベル判定手段によって、前記色レベルが前記閾値よりも大きいと判定された場合、前記閾値以下の場合よりも前記輝度が高くなるように前記輝度調節手段を制御する制御手段とを備えていることを特徴とする表示装置。
【請求項５】
前記輝度の調節範囲が異なる複数の判定モードを有し、前記制御手段は、前記輝度調節手段を制御して、前記各判定モードに対応する前記調整範囲内で前記輝度を調節することを特徴とする請求項１ないし４のいずれか１項記載の表示装置。
【請求項６】
前記閾値が異なる複数の判定モードを有し、前記判定手段は、前記各判定モードに対応する前記閾値によって判定処理を行うことを特徴とする請求項１ないし５のいずれか１項記載の表示装置。
【請求項７】
請求項１ないし６のいずれか１項記載の表示装置を備えていることを特徴とする携帯機器。
【発明の詳細な説明】
【技術分野】
【０００１】
本発明は、液晶パネルを照明して画像を表示する表示装置、及びこれを備えた携帯機器に関する。
【背景技術】
【０００２】
従来、デジタルカメラや携帯電話等の携帯機器には、液晶表示装置（ＬＣＤ）が設けられている。ＬＣＤは、画像を表示する液晶パネルと、この液晶パネルを照明する照明装置とを備えて構成されているが、照明装置での消費電力が大きいという問題がある。
【０００３】
このような問題を解決するために、省電力モードに設定されている時に、非省電力モード時よりも照明装置の輝度を使用に支障のない範囲内で下げて、照明装置による消費電力を低減したデジタルカメラが知られている（例えば、特許文献１参照）。
【０００４】
また、画像データの記録が停止されたスタンバイモードにおいて、照明装置の輝度を記録モード時と異なる輝度にするデジタルカメラ（例えば、特許文献２参照）や、警告時に輝度を通常よりも高くする表示装置（例えば、特許文献３参照）や、通常の表示モードよりも表示画像のコントラストを向上させるとともに、輝度成分を反転させて表示させるモードを設けて、弱視者でも認識が容易な画像を表示させる表示装置（例えば、特許文献４参照）が知られている。
【特許文献１】特開２００５−１３００３４号公報
【特許文献２】特開２００５−１６７８８６号公報
【特許文献３】特開２００１−３１５５４７号公報
【特許文献４】特開２００３−２９８９３２号公報
【発明の開示】
【発明が解決しようとする課題】
【０００５】
しかしながら、上記特許文献１〜４に記載の表示装置では、画像の種類、例えば、画像の空間周波数や、画像に含まれるアイコンのサイズまたは文字数や、画像の色レベル等によっては、画像が見にくいという問題があった。
【０００６】
本発明は、上記事情に鑑みてなされたものであり、画像の種類に関わらず見やすい画像を表示することが可能な表示装置を提供する。
【課題を解決するための手段】
【０００７】
上記課題を解決するために、本発明の表示装置は、画像を表示する液晶パネルと、この液晶パネルを照明する照明手段とを備えた表示装置であり、前記照明手段の輝度を調節する輝度調節手段と、前記液晶パネルに表示する前記画像の空間周波数を検出して、前記空間周波数が閾値よりも大きいか否かを判定する判定手段と、前記判定手段によって前記空間周波数が前記閾値よりも大きいと判定された場合、前記閾値以下の場合よりも前記輝度が高くなるように前記輝度調節手段を制御する制御手段とを備えていることを特徴とするものである。
【０００８】
また、本発明の表示装置は、前記照明手段の輝度を調節する輝度調節手段と、前記液晶パネルに表示する前記画像に含まれるアイコンサイズ及び文字数を検出して、前記アイコンサイズ及び前記文字数が各々の閾値よりも大きいか否かを判定するアイコンサイズ及び文字数判定手段と、前記アイコンサイズ及び文字数判定手段によって、前記アイコンサイズが閾値以下であると判定された場合、前記閾値よりも大きい場合よりも前記輝度が高くなるように前記輝度調節手段を制御し、前記文字数が閾値よりも大きいと判定された場合、前記閾値以下の場合よりも前記輝度が上昇するように前記輝度調節手段を制御する制御手段とを備えていることを特徴とするものである。
【０００９】
さらに、前記画像は、メニュー画像またはガイダンス画像であり、前記アイコンサイズ及び文字数判定手段は、前記メニュー画像またはガイダンス画像に含まれる前記アイコンサイズ及び前記文字数を検出することが好ましい。
【００１０】
また、本発明の表示装置は、前記照明手段の輝度を調節する輝度調節手段と、前記液晶パネルに表示される前記画像の色情報に基づいて各色の色レベルを算出し、特定の色レベルが閾値よりも大きいか否かを判定する色レベル判定手段と、前記色レベル判定手段によって、前記色レベルが前記閾値よりも大きいと判定された場合、前記閾値以下の場合よりも前記輝度が高くなるように前記輝度調節手段を制御する制御手段とを備えていることを特徴とするものである。
【００１１】
さらに、前記輝度の調節範囲が異なる複数の判定モードを有し、前記制御手段は、前記輝度調節手段を制御して、前記各判定モードに対応する前記調整範囲内で前記輝度を調節することが好ましい。また、前記閾値が異なる複数の判定モードを有し、前記判定手段は、前記各判定モードに対応する前記閾値によって判定処理を行うことが好ましい。
【００１２】
また、本発明の携帯機器は、上記の表示装置を備えていることを特徴とするものである。
【発明の効果】
【００１３】
本発明によれば、画像の空間周波数が閾値よりも大きいか否かを判定して、画像の空間周波数が閾値よりも大きい時に、空間周波数が閾値以下の場合よりも照明手段の輝度を高くするので、画像の空間周波数に関わらず見やすい画像を表示することが可能である。
【００１４】
また、画像に含まれるアイコンサイズ及び文字数が閾値よりも大きいか否かを判定して、アイコンサイズが閾値以下の場合や文字数が閾値よりも大きい場合に、照明手段の輝度を通常よりも高くするので、画像に含まれるアイコンサイズ及び文字数に関わらず見やすい画像を表示することが可能である。
【００１５】
特定の色レベルが閾値よりも大きいか否かを判定して、この色レベルが閾値よりも大きいと判定された場合、閾値以下の場合よりも照明手段の輝度を高くするので、Ｂ（青色）のように視認しにくい色が多く含まれる場合でも、見やすい画像を表示することができる。
【００１６】
また、輝度の調節範囲が異なる複数の判定モードを有し、各モードに対応する調節範囲内で輝度を調節することによって、照明手段の輝度を最適な状態に調節することが可能である。さらに、閾値が異なる複数の判定モードを有し、各判定モードに対応する閾値によって判定処理を行うので、照明手段の輝度を最適な状態に調節することが可能である。
【発明を実施するための最良の形態】
【００１７】
図１に示すデジタルカメラ１０は、カメラ本体１１の前面に、スライド操作可能なレンズバリア１２を備えている。このレンズバリア１２を開放位置（図１に示す位置）にスライドさせることによって、撮影レンズ１３、ストロボ発光窓１４が前面に露呈される。また、カメラ本体１１の前面には、光学ファインダを構成するファインダ対物窓１５が設けられている。
【００１８】
前述のレンズバリア１２は、電源操作部材を兼用しており、前述の開放位置にスライド操作された時に、カメラ本体１１の電源がＯＮとなり、撮影レンズ１３及びストロボ発光部１４が遮蔽される遮蔽位置にスライド操作された時に、カメラ本体１１の電源がＯＦＦとなる。
【００１９】
また、図２に示すように、カメラ本体１１の背面には、ＬＣＤ１６、光学ファインダを構成するファインダ接眼窓１７、複数の操作部材で構成される操作部１８が設けられている。ＬＣＤ１６には、スルー画、再生画像、及び各種設定画面等が表示される。
【００２０】
操作部１８は、モード切替ボタン２１、戻しボタン２２、送りボタン２３、ズームボタン２４、メニューボタン２５、キャンセルボタン２６、及び表示ボタン２７で構成されている。
【００２１】
モード切替ボタン２１は、撮影モードと、再生モードとを切り替える際に、スライド操作される。また、送りボタン２３及び戻しボタン２２は、再生モードにおいて、再生画像を順送り及び逆送りする際に、押圧操作される。ズームボタン２４は、撮影レンズ１３の焦点距離を変更する際に、上下方向に押圧操作される。また、戻しボタン２２、送りボタン２３、及びズームボタン２４は、設定画面内でカーソルを移動する際のカーソル操作ボタンとしても用いられる。
【００２２】
メニューボタン２５は、メニュー画面をＬＣＤ１６に表示させる際に押圧操作される。また、キャンセルボタン２６は、メニュー画面内での各種設定操作を途中でやめる場合や、前画面に戻す場合に押圧操作される。表示ボタン２７は、ＬＣＤ１６のＯＮ、ＯＦＦを切り替える際に押圧操作される。
【００２３】
また、カメラ本体１１の上面には、シャッタボタン２８が設けられている。このシャッタボタン２８は、２段押しのボタンであり、このシャッタボタン２８が半押しされた時に、各種撮影準備処理が実行され、半押しよりさらに押し込まれて全押しされた時に、撮影処理が実行される。
【００２４】
カメラ本体１１の側面には、記録メディアスロット３０が設けられている。この記録メディアスロット３０には、画像データが記憶される記憶手段である記録メディア３１が着脱自在に装填される。
【００２５】
次に、図３を参照して、デジタルカメラ１０の電気的構成について説明する。デジタルカメラ１０は、システムコントローラ（制御手段）４０によって各部が制御されている。このシステムコントローラ４０は、図示しないＲＯＭ及びＲＡＭを備えている。ＲＯＭには、カメラ本体１１内の各部を制御するための制御プログラムや、各種制御用データ等が記憶されており、ＲＡＭには、作業用データが一時的に記憶される。システムコントローラ４０は、これらのプログラムや各種制御用データ等に基づいて各部を制御する。また、システムコントローラ４０には、操作部１８及びシャッタボタン２８が接続されており、操作部１８及びシャッタボタン２８から入力される操作信号に基づいて各部を制御する。
【００２６】
撮影レンズ１３は、焦点距離を変更可能なレンズであり、ズームレンズ４１と、絞り４２と、フォーカスレンズ４３とを備えて構成されている。ズームレンズ４１は、ズームモータ４４によって、撮影レンズ１３の光軸方向に沿って移動される。また、絞り４２は、アイリスモータ４５によって駆動されて開口径が変更され、後述するＣＣＤイメージセンサ（以下、単にＣＣＤと称する）４８の受光面に入射する被写体光の光量を調節する。さらに、フォーカスレンズ４３は、フォーカスモータ４６によって光軸方向に沿って移動される。
【００２７】
各モータ４４〜４６は、モータドライバ４７を介してシステムコントローラ４０に接続されている。モータドライバ４７は、システムコントローラ４０からの指示に基づいて、各モータ４４〜４６に駆動パルスを送信する。各モータ４４〜４６は、この駆動パルスによって駆動する。
【００２８】
この撮影レンズ１３の背後には、ＣＣＤ４８が配置されている。ＣＣＤ４８は、受光素子（フォトダイオード）が２次元的に配列された受光面を備えており、撮影レンズ１３を透過して受光面に結像された被写体光を光電変換し、光量に応じた信号電荷を蓄積する。各受光素子に蓄積された信号電荷は、ＣＣＤドライバ４９から与えられるパルスに基づいて、その電荷量に応じた電圧信号（撮像信号）として順次に読み出される。
【００２９】
ＣＣＤ４８から出力された撮像信号は、アナログ信号処理部５０に入力される。このアナログ信号処理部５０は、相関二重サンプリング回路（ＣＤＳ）５０ａ、オートゲインコントロール・アンプ（ＡＭＰ）５０ｂ、及びＡ／Ｄ変換器５０ｃで構成されている。
【００３０】
撮像信号は、ＣＤＳ５０ａによってノイズが除去され、ＡＭＰ５０ｂによって増幅される。さらに、撮像信号は、Ａ／Ｄ変換器５０ｃによって、アナログ信号からデジタル信号の画像データに変換される。
【００３１】
タイミングジェネレータ（ＴＧ）５１は、システムコントローラ４０の指示に従ってＣＣＤドライバ４９及びアナログ信号処理部５０に対してタイミング信号を与えており、このタイミング信号によって各回路の同期がとられている。また、このＴＧ５１から入力されるタイミング信号（クロックパルス）により、ＣＣＤ４８の電子シャッタ速度（露光時間）が決定される。つまり、システムコントローラ４０は、絞り４２の絞り値とＣＣＤ４８の露光時間とを制御することによって、露出を制御する。
【００３２】
アナログ信号処理部５０には、画像入力コントローラ５２が接続されている。この画像入力コントローラ５２は、データバス５３を介してＳＤＲＡＭ５４に接続されており、ＳＤＲＡＭ５４に１画面分の画像データを記憶させる。また、データバス５３には、画像入力コントローラ５２及びＳＤＲＡＭ５４の他に、デジタル信号処理回路５５、圧縮伸張処理回路５６、ＬＣＤドライバ５７、メディアコントローラ５８、ＡＥ検出回路５９、ＡＦ検出回路６０、及び輝度調節回路６１が接続されている。
【００３３】
デジタル信号処理回路５５は、ＳＤＲＡＭ５４に記憶された画像データに対して、階調変換処理、輪郭強調処理、ノイズ低減処理、ホワイトバランス補正処理、及びＹＣ変換処理等の所定の信号処理を施す。なお、スルー画を表示する場合には、撮影時よりも低解像度の画像データがＳＤＲＡＭ５４に記憶され、この低解像度の画像データに対して前述の信号処理が行われる。その後、システムコントローラ４０の指示に従って、ＳＤＲＡＭ５４から低解像度の画像データが順次に読み出され、ＬＣＤドライバ５７を介して、スルー画としてＬＣＤ１６に表示される。
【００３４】
前述のシャッタボタン２８は、２段階押圧式のスイッチであり、シャッタボタン２８が、軽く押下（半押し）されて１段目のスイッチがＯＮにされると、後述するＡＥ制御及びＡＦ制御等の撮影準備動作が行われる。また、シャッタボタン２８が半押しされた状態から、さらに押下（全押し）されると、ＡＥ制御によって設定された露出値にて、ＣＣＤ４８に対して本露光が行われる。
【００３５】
この時、前述のＳＤＲＡＭ５４には、スルー画時よりも高解像度の画像データが記憶され、この画像データに対して前述の信号処理が施される。信号処理が施された画像データは、圧縮伸張処理回路５６によって所定の圧縮形式（例えば、ＪＰＥＧ形式）で圧縮される。圧縮処理後、画像データは、メディアコントローラ５８を介して記録メディア３１に記憶される。
【００３６】
また、再生モード時には、メディアコントローラ５８を介して記録メディア３１から読み出された画像データが、圧縮伸張処理回路５６によって伸張され、ＬＣＤドライバ５７を介してＬＣＤ１６に再生画像として表示される。
【００３７】
ＡＥ検出回路５９は、シャッタボタン２８が半押しされた時に、ＳＤＲＡＭ５４に記憶された画像データに基づいて、被写体輝度を測光する測光して露出値が最適となるＡＥ評価値を検出し、このＡＥ評価値をシステムコントローラ４０に出力する。また、ＡＦ検出回路６０は、シャッタボタン２８が半押しされてフォーカスレンズ４３が光軸方向に移動されている時に、ＳＤＲＡＭ５４に記憶される画像データを取得し、画像データの高周波成分を積算して、ＡＦ評価値（積算値）をシステムコントローラ４０に逐次出力する。
【００３８】
システムコントローラ４０は、ＡＥ評価値に基づいて、絞り４２の開口径、及びＣＣＤ４８の電子シャッタ速度を設定する。さらに、システムコントローラ４０は、ＡＦ評価値が最大（ピーク）となる位置（合焦位置）に、フォーカスレンズ４３を移動させる。
【００３９】
図４に示すように、ＬＣＤ１６は、液晶パネル７０と、バックライト７１とを備えて構成されている。液晶パネル７０は、前述のＬＣＤドライバ５７と接続されており、このＬＣＤドライバ５７によって駆動されて画像を表示する。バックライト７１は、液晶パネル７０を照明する照明手段であり、液晶パネル７０を背後から照明する。本発明の表示装置は、このＬＣＤ１６と、バックライト７１の輝度を調節する輝度調節回路６１と、この輝度調節回路６１を制御するシステムコントローラ４０とで構成されている。
【００４０】
バックライト７１は、例えば、複数の発光ダイオード（ＬＥＤ）７２が直列に接続されて構成されている。なお、ＬＥＤ７２の個数は適宜変更可能であり、直列に接続された複数のＬＥＤ７２を並列に複数列も設けても良い。このバックライト７１の正極端子Ｐ１は、ＤＣ／ＤＣコンバータ７５の正極と接続されており、負極端子Ｐ２は、輝度調節回路６１を介して端子Ｐ３に接続されている。ＤＣ／ＤＣコンバータ７５の負極は、端子Ｐ３と接続されており、この端子Ｐ３は、接地されている。
【００４１】
このＤＣ／ＤＣコンバータ７５は、バッテリ（図示せず）から給電され、直流電圧を所定の電圧に変換して、バックライト７１と、カメラ本体１１内のその他の各部にも電源供給を行う。バックライト７１には、ＤＣ／ＤＣコンバータ７５の出力電圧から輝度調節回路６１による電圧降下分を差し引いた電圧、すなわち、正極端子Ｐ１の電位をＶ１，負極端子Ｐ２の電位をＶ２とすると、駆動電圧（Ｖ１−Ｖ２）がとして印加される。
【００４２】
輝度調節回路６１は、３つの抵抗Ｒ１〜Ｒ３と、２つのトランジスタＴｒ１，Ｔｒ２とで構成されている。抵抗Ｒ１〜Ｒ３は、負極端子Ｐ２に対して並列に接続されており、抵抗Ｒ１及び抵抗Ｒ２は異なる抵抗値にされている。また、トランジスタＴｒ１は、コレクタ電極が抵抗Ｒ１に対して直列に接続されており、エミッタ電極が端子Ｐ３に接続され、ベース電極がデータバス５３を介してシステムコントローラ４０に接続されている。
【００４３】
トランジスタＴｒ２は、コレクタ電極が抵抗Ｒ２に対して直列に接続されており、エミッタ電極が端子Ｐ３に接続され、ベース電極がデータバス５３を介してシステムコントローラ４０に接続されている。また、抵抗Ｒ３は、端子Ｐ３に直接接続されている。
【００４４】
システムコントローラ４０は、トランジスタＴｒ１，Ｔｒ２のＯＮ，ＯＦＦを制御して、抵抗Ｒ１〜Ｒ３の合成抵抗を４通りに変化させる。トランジスタＴｒ１，Ｔｒ２の両方がＯＮにされている場合、抵抗Ｒ１〜Ｒ３の全てに電流が流れるので、合成抵抗値Ｒ＝Ｒ１・Ｒ２・Ｒ３／（Ｒ１・Ｒ２＋Ｒ２・Ｒ３＋Ｒ１・Ｒ３）となる。
【００４５】
トランジスタＴｒ１，Ｔｒ２の両方がＯＦＦにされている場合、抵抗Ｒ３にのみ電流が流れるので、合成抵抗値Ｒ＝Ｒ３となる。トランジスタＴｒ１がＯＮ，トランジスタＴｒ２がＯＦＦの場合、抵抗Ｒ１，Ｒ３にのみ電流が流れるので、合成抵抗値Ｒ＝Ｒ１・Ｒ３／（Ｒ１＋Ｒ３）となる。また、逆に、トランジスタＴｒ１がＯＦＦ，トランジスタＴｒ２がＯＮの場合、抵抗Ｒ２，Ｒ３にのみ電流が流れるので、合成抵抗値Ｒ＝Ｒ２・Ｒ３／（Ｒ２＋Ｒ３）となる。
【００４６】
このように、輝度調節回路６１は、合成抵抗値Ｒを４通りに変更可能であり、負極端子Ｐ２の電位Ｖ２を変化させて、バックライト７１の駆動電圧（Ｖ１−Ｖ２）を４通りに変更して、バックライト７１の輝度を調節することができる。本実施形態において、バックライト７１の輝度を４通りの輝度Ｘ１，Ｘ２，Ｘ３，Ｘ４（ｃｄ／ｃｍ２）（Ｘ１＜Ｘ２＜Ｘ３＜Ｘ４）に調節する場合について説明する。
【００４７】
また、システムコントローラ４０は、周波数判定部８０ａと、アイコンサイズ及び文字数判定部８０ｂと、色レベル判定部８０ｃと、モード判定部８１とを備えている。周波数判定部８０ａは、表示画像を複数のエリア、例えば、５×５の２５エリアに分割し、各エリアの空間周波数を算出して、これらの平均値を算出する。この空間周波数とは、図５（Ａ）のグラフに示すように、明暗の差が粗い画像ほど低く、図５（Ｂ）のグラフに示すように、明暗の差が微細な画像ほど高い。なお、これらのグラフにおいて、横軸は空間座標、縦軸は明度である。周波数判定部８０ａは、この平均値が閾値以上か否かを判定する。なお、空間周波数は、前述したように画像全体の平均値ではなく、主要部（画像の中央部）の平均値でも良い。
【００４８】
アイコンサイズ及び文字数判定部８０ｂは、システムコントローラ４０内のＲＯＭに記憶されたメニュー及びガイダンス画像データに基づいて、表示画像に含まれるアイコンのサイズ、及び表示画像に含まれる文字数を検出する。さらに、アイコンサイズ及び文字数判定部８０ｂは、これらが閾値以上か否かを判定する。
【００４９】
色レベル判定部８０ｃは、ＳＤＲＡＭ５４に記憶された画像データから色情報を取得し、この色情報に基づいて各色の色レベル（ＲＧＢ比率）を検出する。さらに、色レベル判定部８０ｃは、この色レベルが閾値以上か否かを判定する。なお、色レベルは、ＲＧＢ各色のデータに基づいて算出しても良いし、ＹＣ変換後の輝度信号Ｙ及び色差信号Ｃｒ，Ｃｂに基づいて算出しても良い。
【００５０】
ＬＣＤ１６に画像を表示する場合、システムコントローラ４０が、周波数判定部８０ａ、アイコンサイズ及び文字数判定部８０ｂ、及び色レベル判定部８０ｃのいずれかの判定結果に基づいて、輝度調節回路６１を制御してバックライト７１の輝度を調節する。また、各判定部８０ａ〜８０ｃには、複数の判定モード、例えば、第１判定モードと、第２判定モードとが設定されている。これらの第１及び第２判定モードでは、異なる輝度調節範囲及び閾値が設定されている。なお、各判定部８０ａ〜８０ｃに対して、複数の判定モードを設定せずに、輝度調節範囲及び閾値を固定にしても良い。
【００５１】
モード判定部８１ｄは、複数の判定モードのうち、いずれの判定モードに設定されているかを検出するとともに、各モードに対応する輝度調節範囲または各モードに対応する閾値を設定する。なお、前述の判定モードは、ユーザが操作部１８を操作することによって、複数の判定モードから選択される。
【００５２】
システムコントローラ４０は、この輝度調節範囲または閾値に基づいて、周波数判定部８０ａ、アイコンサイズ及び文字数判定部８０ｂ、及び色レベル判定部８０ｃのいずれかを制御することによって判定処理を実行させる。
【００５３】
システムコントローラ４０は、各判定部８０ａ〜８０ｃから判定結果を取得するとともに、この判定結果に基づいて輝度調節回路６１を制御してバックライト７１の輝度を調節する。
【００５４】
次に、上記構成のデジタルカメラ１０の作用について説明する。最初に、図６のフローチャートを参照して、表示画像の空間周波数に基づいてバックライト７１の輝度を調節する場合について説明する。
【００５５】
周波数判定部８０ａは、ＳＤＲＡＭ５４に記憶された画像データに基づいて、画像の空間周波数を算出する。その後、周波数判定部８０ａは、この空間周波数が閾値ｆｔｈよりも大きいか否かを判定する。
【００５６】
空間周波数が閾値ｆｔｈよりも大きいと判定された場合、システムコントローラ４０は、輝度調節回路６１を制御して、バックライト７１の輝度がＸ２となるように駆動電圧（Ｖ１−Ｖ２）を調節する。また、空間周波数が閾値ｆｔｈ以下であると判定された場合、システムコントローラ４０は、輝度調節回路６１を制御して、バックライト７１の輝度がＸ１となるように駆動電圧を調節する。
【００５７】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。前述のように、空間周波数の高い（微細な）画像を表示する時には、ＬＣＤ１６の輝度を上げて見やすさを向上させ、空間周波数の低い画像を表示する時には、輝度を低下させて消費電力を削減することができる。また、上記説明において、輝度をＸ１，Ｘ２に調節する場合について説明したが、調節範囲は適宜変更可能である。
【００５８】
なお、上記実施形態において、輝度の調節範囲が固定の場合（判定モードが設定されていない場合）について説明したが、判定モードによって輝度の調節範囲を変更しても良い。図７のフローチャートを参照して、判定モード毎に輝度の調節範囲を変更する場合について説明する。なお、以下の説明では、第１及び第２判定モードとして、通常モード及び老年モードが設定される場合について説明する。
【００５９】
周波数判定部８０ａは、ＳＤＲＡＭ５４に記憶された表示画像データに基づいて、空間周波数を算出する。その後、モード判定部８１は、老年モードに設定されているか否かを判定する。
【００６０】
老年モードに設定されていないと判定された場合（通常モードに設定されていると判定された場合）、モード判定部８１は、バックライト７１の輝度の調整範囲を輝度Ｘ１とＸ２との間に設定する。
【００６１】
その後、周波数判定部８０ａは、空間周波数が閾値ｆｔｈよりも大きいか否かを判定する。空間周波数が閾値ｆｔｈよりも大きいと判定された場合、システムコントローラ４０は、輝度調節回路６１を制御して、バックライト７１の輝度がＸ１となるように駆動電圧を調節する。また、空間周波数が閾値ｆｔｈ以下であると判定された場合、システムコントローラ４０は、輝度調節回路６１を制御して、バックライト７１の輝度がＸ２（Ｘ２＜Ｘ１）となるように駆動電圧を調節する。
【００６２】
また、老年モードに設定されていると判定されていると判定された場合、モード判定部８１は、バックライト７１の輝度の調節範囲を輝度Ｘ３とＸ４との間に設定する。周波数判定部８０ａは、空間周波数が閾値ｆｔｈよりも大きいか否かを判定する。空間周波数が閾値ｆｔｈよりも大きいと判定された場合、システムコントローラ４０は、輝度調節回路６１を制御して、バックライト７１の輝度がＸ３となるように駆動電圧を調節する。また、空間周波数が閾値ｆｔｈ以下であると判定された場合、システムコントローラ４０は、輝度調節回路６１を制御して、バックライト７１の輝度がＸ４（Ｘ４＜Ｘ３）となるように駆動電圧を調節する。
【００６３】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。このように、老年モードに設定されている場合に、輝度の調節範囲を上げることにより、高齢者に最適な輝度に調節することが可能である。
【００６４】
上記作用の説明では、通常モードと老年モードとで輝度の調節範囲を変更したが、空間周波数を判定する際の閾値をモード毎に変更しても良いし、モード毎に調節範囲及び閾値の両方を変更しても良い。なお、上記の表示画像としては、スルー画でも良いし、記録済みの再生画像でも良い。
【００６５】
次に、図８のフローチャートを参照して、表示画像に含まれるアイコンのサイズ、または表示文字数に基づいてバックライト７１の輝度を調節する場合について説明する。ユーザが操作部１８を操作することによって、メニュー画面またはガイダンス画面を表示させる。
【００６６】
システムコントローラ４０は、操作部１８からメニュー画面またはガイダンス画面を表示する指令を取得したか否かを判定する。メニューまたはガイダンス画像を表示する指令を取得していないと判定された場合、システムコントローラ４０は、輝度調節回路６１を制御して、バックライト７１の輝度がＸ１となるように駆動電圧を調節する。
【００６７】
また、メニューまたはガイダンス画像を表示する指令を取得したと判定された場合、アイコンサイズ及び文字数判定部８０ｂは、メニュー画面またはガイダンス画面に含まれるアイコンのサイズ、及び表示文字数を検出する。このアイコンサイズ及び表示文字数の検出は、メニュー画面またはガイダンス画面に対応する画像データをＲＯＭから読み出して行われる。なお、メニュー画面及びガイダンス画面毎のアイコンサイズ及び表示文字数を予めＲＯＭ内に記憶させておいても良い。
【００６８】
その後、アイコンサイズ及び文字数判定部８０ｂは、アイコンサイズがＡ×Ｂ（例えば、２×２）よりも小さいか否か、または、表示文字数がＮ（例えば、５０）よりも大きいか否かを判定する。
【００６９】
アイコンサイズがＡ×Ｂよりも小さい、または、表示文字数がＮよりも大きいと判定された場合、システムコントローラ４０は、輝度調節回路６１を制御して、バックライト７１の輝度がＸ４となるように駆動電圧を調節する。
【００７０】
また、アイコンサイズがＡ×Ｂ以上、または、表示文字数がＮ以下であると判定された場合、アイコンサイズ及び文字数判定部８０ｂは、アイコンサイズが、Ａ×Ｂ≦（アイコンサイズ）＜Ｃ×Ｄ（例えば、４×４）の範囲内か否か、または、表示文字数が、Ｍ（例えば、３０）＜（表示文字数）≦Ｎの範囲内か否かを判定する。
【００７１】
Ａ×Ｂ≦（アイコンサイズ）＜Ｃ×Ｄの範囲内、または、Ｍ＜（表示文字数）≦Ｎの範囲内であると判定された場合、輝度調節回路６１を制御して、バックライト７１の輝度がＸ３となるように駆動電圧を調節する。
【００７２】
Ａ×Ｂ≦（アイコンサイズ）＜Ｃ×Ｄの範囲内、または、Ｍ＜（表示文字数）≦Ｎの範囲内でないと判定された場合、輝度調節回路６１を制御して、バックライト７１の輝度がＸ２となるように駆動電圧を調節する。
【００７３】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。このように、アイコンサイズが小さい、または表示文字数が多いほど、バックライト７１の輝度を高くするので、アイコンサイズや表示文字数に関わらず、見やすい画像を表示することができる。
【００７４】
次に、図９のフローチャートを参照して、色レベルに基づいてバックライト７１の輝度を調節する場合について説明する。色レベル検出部８０ｃは、ＬＣＤ１６に表示される表示画像データから色情報を取得して、ＲＧＢ各色の色レベルを算出する。
【００７５】
その後、色レベル検出部８０ｃは、Ｂ（青色）の色レベルが閾値以上か否かを判定する。色レベルが閾値よりも大きいと判定された場合、システムコントローラ４０は、輝度調節回路６１を制御して、バックライト７１の輝度がＸ２となるように駆動電圧を調節する。
【００７６】
また、色レベルが閾値以下であると判定された場合、システムコントローラ４０は、輝度調節回路６１を制御して、バックライト７１の輝度がＸ１となるように駆動電圧を調節する。
【００７７】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。このように、人間にとって視認しにくい色であるＢ（青色）が多く含まれる場合に、バックライト７１の輝度を上げることによって、色レベルに関わらず見やすい画像を表示することができる。
【００７８】
上記作用の説明では、Ｂ（青色）の色レベルに基づいてバックライト７１の輝度を調節する場合を例に説明を行ったが、これに限るものではなく、Ｒ（赤色），Ｇ（緑色）の色レベルに基づいてバックライト７１の輝度を調節しても良い。なお、Ｇ（緑色）は人間にとって視認しやすい色であり、Ｇの色レベルが高いときにバックライト７１の輝度を低下させることによって、消費電力を削減可能である。
【００７９】
次に、図１０のフローチャートを参照して、モード毎に色レベルの閾値を変更する場合について説明する。色レベル検出部８０ｃは、ＬＣＤ１６に表示される表示画像データから色情報を取得して色レベルを算出する。
【００８０】
その後、モード判定部８１は、老年モードに設定されているか否かを判定する。老年モードに設定されていないと判定された場合（通常モードに設定されていると判定された場合）、モード判定部８１は、バックライト７１の輝度の調整範囲を輝度Ｘ１とＸ２との間に設定する。
【００８１】
その後、色レベル判定部８０ｃは、所定の色（例えば、赤）の色レベルが閾値Ｃｔｈよりも大きいか否かを判定する。色レベルが閾値Ｃｔｈよりも大きいと判定された場合、システムコントローラ４０は、輝度調節回路６１を制御して、バックライト７１の輝度がＸ２となるように駆動電圧を調節する。また、色レベルが閾値Ｃｔｈ以下であると判定された場合、システムコントローラ４０は、輝度調節回路６１を制御して、バックライト７１の輝度がＸ１となるように駆動電圧を調節する。
【００８２】
また、老年モードに設定されていると判定されていると判定された場合、モード判定部８１は、バックライト７１の輝度の調節範囲を輝度Ｘ３とＸ４との間に設定する。その後、色レベル判定部８０ｃは、色レベルが閾値Ｃｔｈよりも大きいか否かを判定する。色レベルが閾値Ｃｔｈよりも大きいと判定された場合、システムコントローラ４０は、輝度調節回路６１を制御して、バックライト７１の輝度がＸ４となるように駆動電圧を調節する。また、色レベルが閾値ｆｔｈ以下であると判定された場合、システムコントローラ４０は、輝度調節回路６１を制御して、バックライト７１の輝度がＸ３となるように駆動電圧を調節する。
【００８３】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。
【００８４】
このように、赤の色レベルに基づいてバックライト７１の輝度を調節する際に、老年モードに設定されている時に、通常よりも輝度の調節範囲を上げることによって、白内障を患った人の赤色の視認性を向上させることができる。
【００８５】
上記作用の説明では、通常モードと老年モードとで輝度の調節範囲のみを変更したが、色レベルを判定する際の閾値をモード毎に変更しても良い。以下に、図１１のフローチャートを参照して、色レベルを判定する際の閾値をモード毎に変更する場合について説明する。なお、第１及び第２判定モードとして、アジアモード及びヨーロッパモードが設定されている場合を例に説明する。
【００８６】
色レベル検出部８０ｃは、ＬＣＤ１６に表示される表示画像データから輝度信号Ｙ，色差信号Ｃｒ，Ｃｂを取得して、所定の色（例えば、赤）の色レベルを算出する。その後、モード判定部８１は、アジアモードに設定されているか否かを判定する。アジアモードに設定されていないと判定された場合（ヨーロッパモードに設定されていると判定された場合）、モード判定部８１は、バックライト７１の輝度の調整範囲を輝度Ｘ１とＸ２との間に設定し、さらに、色レベル判定部８０ｃの閾値として、閾値Ｃｔｈ１を設定する。
【００８７】
その後、色レベル判定部８０ｃは、色レベルが閾値Ｃｔｈ１よりも大きいか否かを判定する。色レベルが閾値Ｃｔｈ１よりも大きいと判定された場合、システムコントローラ４０は、輝度調節回路６１を制御して、バックライト７１の輝度がＸ２となるように駆動電圧を調節する。また、色レベルが閾値Ｃｔｈ１以下であると判定された場合、システムコントローラ４０は、輝度調節回路６１を制御して、バックライト７１の輝度がＸ１となるように駆動電圧を調節する。
【００８８】
また、アジアモードに設定されていると判定されていると判定された場合、モード判定部８１は、バックライト７１の輝度の調節範囲を輝度Ｘ３とＸ４との間に設定し、さらに、色レベル判定部８０ｃの閾値として、閾値Ｃｔｈ２（＞Ｃｔｈ１）を設定する。
【００８９】
その後、色レベル判定部８０ｃは、色レベルが閾値Ｃｔｈ２よりも大きいか否かを判定する。色レベルが閾値Ｃｔｈ２よりも大きいと判定された場合、システムコントローラ４０は、輝度調節回路６１を制御して、バックライト７１の輝度がＸ４となるように駆動電圧を調節する。また、色レベルが閾値Ｃｔｈ２以下であると判定された場合、システムコントローラ４０は、輝度調節回路６１を制御して、バックライト７１の輝度がＸ３となるように駆動電圧を調節する。
【００９０】
また、前述のバックライト７１の輝度調節と同時に、システムコントローラ４０は、ＬＣＤドライバ５７を制御して液晶パネル７０に画像を表示させる。これにより、空間周波数に基づいて輝度調節されたバックライト７０によって、液晶パネル７０の画像が照明される。
【００９１】
前述の判定モード（アジアモード、ヨーロッパモード）の設定は、ユーザが操作部１８を操作して言語設定を行った時に、この言語に対応する判定モードに自動的に設定されても良いし、操作部１８によって選択可能にしても良い。
【００９２】
このように、赤の色レベルに基づいてバックライト７１の輝度を調節する際に、アジアモードとヨーロッパモードとで輝度の調節範囲及び閾値を変更することによって、アジア等の原色が好まれる地域のモードに設定されている時には、赤が強調されるように輝度を上げ、ヨーロッパ等の落ち着いた色が好まれる地域のモードに設定されている場合には、赤が強調されないように輝度を下げることができる。このため、好まれる色が異なる地域毎に、色の強調度合を変更することができる。
【００９３】
また、上記作用の説明において、赤の強調度合をモード毎に変更する場合を例に説明したが、これに限るものではなく、例えば、緑や青等の強調度合をモード毎に変更しても良い。さらに、アジア、ヨーロッパモードに限るものではなく、他の地域のモードを追加して様々な地域の好みに対応させることが好ましい。
【００９４】
次に、図１２を参照して、輝度調節回路６１の替わりに可変抵抗器を用いた場合について説明する。ＤＣ／ＤＣコンバータ７５は、バックライト７１の正極端子Ｐ１，負極端子Ｐ２間に接続され、ＥＶＲ（electric variable resistor）９０は、ＤＣ／ＤＣコンバータ７５に対して直列に接続されている。
【００９５】
また、ＥＶＲ９０は、システムコントローラ４０に接続されており、システムコントローラ４０は、このＥＶＲ９０の抵抗値を変化させることによって、正極端子Ｐ１，Ｐ２間の電位差を変化させる。このため、バックライト７１の駆動電圧が変化して、輝度が調節される。
【００９６】
前述の輝度調節回路６１では４段階で輝度調節を行っているが、このＥＶＲ９０を用いることによってバックライト７１の駆動電圧の制御を細かく行うことが可能であり、バックライト７１の輝度調節をより細かく実施することが可能である。
【００９７】
なお、上記実施形態において、周波数判定部、アイコンサイズ及び文字数判定部、及び色レベル判定部の全てを設ける場合を例に説明を行ったが、これに限るものではなく、これらの判定部の少なくとも１つが設けられていれば良い。また、これらの判定部をシステムコントローラ内に設ける場合を例に説明したが、これらの判定部をシステムコントローラの外部に設けても良い。
【００９８】
さらに、上記実施形態において、バックライトを複数のＬＥＤで構成する場合を例に説明したが、これに限るものではなく、例えば、複数の電球で構成しても良い。
【００９９】
また、上記実施形態において、２つの判定モードを設定した場合について説明を行ったが、これに限るものではなく、３つ以上の判定モードを設けても良い。
【０１００】
さらに、上記実施形態において、液晶パネルを背後から照明する透過型ＬＣＤを用いる場合を例に説明を行ったが、これに限るものではなく、液晶パネルを前面側から照明する反射型ＬＣＤを用いても良い。
【０１０１】
また、上記実施形態において、本発明をＬＣＤに適用した場合を例に説明したが、これに限るものではなく、自己発光型の表示装置、例えば、有機ＥＬ等に本発明を適用可能である。
【０１０２】
さらに、本発明をデジタルカメラに適用した場合を例に説明したが、表示装置を備えた携帯機器であれば良く、携帯電話や携帯型ゲーム機等に本発明を適用しても良い。
【図面の簡単な説明】
【０１０３】
【図１】デジタルカメラの前面側の構成を示す斜視図である。
【図２】デジタルカメラの背面側の構成を示す斜視図である。
【図３】デジタルカメラの電気的構成を示すブロック図である。
【図４】表示装置の電気的構成を示すブロック図である。
【図５】画像の空間周波数を説明するグラフである。
【図６】空間周波数に基づいて輝度を調節する表示処理を説明するフローチャートである。
【図７】空間周波数に基づいて輝度を調節する表示処理を説明するフローチャートであり、モード毎に輝度の調節範囲を変更する場合を示している。
【図８】アイコンサイズ及び表示文字数に基づいて輝度を調節する表示処理を説明するフローチャートである。
【図９】色レベルに基づいて輝度を調節する表示処理を説明するフローチャートである。
【図１０】色レベルに基づいて輝度を調節する表示処理を説明するフローチャートであり、モード毎に輝度の調節範囲を変更する場合を示している。
【図１１】色レベルに基づいて輝度を調節する表示処理を説明するフローチャートであり、モード毎に輝度の調節範囲及び閾値を変更する場合を示している。
【図１２】表示装置の変形例を示すブロック図であり、ＥＶＲを用いた場合を示している。
【符号の説明】
【０１０４】
１０  デジタルカメラ
１６  ＬＣＤ
４０  システムコントローラ
６１  輝度調節回路
７０  液晶パネル
７１  バックライト
７２  ＬＥＤ
８０ａ  周波数判定部
８０ｂ  アイコンサイズ及び文字数判定部
８０ｃ  色レベル判定部
８１  モード判定部
９０  ＥＶＲ
【図１】
2008139429.tif 000003
【図２】
2008139429.tif 000004
【図３】
2008139429.tif 000005
【図４】
2008139429.tif 000006
【図５】
2008139429.tif 000007
【図６】
2008139429.tif 000008
【図７】
2008139429.tif 000009
【図８】
2008139429.tif 000010
【図９】
2008139429.tif 000011
【図１０】
2008139429.tif 000012
【図１１】
2008139429.tif 000013
【図１２】
2008139429.tif 000014